(57)【要約】      （修正有）【課題】ポールの昇降を円滑にする。【解決手段】床面Ｆと天井面との間に設けられる縦型介護用ポール装置Ａである。床面と天井面の間に設置されるポール１の上下端に固定具２０を設ける。床固定具２０は、床用台座２１に植設したボルト２２の上端にポール振れ止め用安定コマ２７、途中に回転防止コマ及びジャッキコマ２４が設けられている。回転防止コマの周りにガイド筒が設けられている。回転防止コマの外面周囲にガイド溝が形成されている。ガイド筒は、アルミニウム製の円筒状引き抜き品であって、その円筒の内面に上下方向の対の弧状突条２６ａが形成されて、その対の弧状突条は凹側が向き合って円状空間を形成し、その空間に床用台座２１からのビス２１ｃがねじ込まれてガイド筒が床用台座２１に固定される。回転防止コマは、上下動の際、ガイド溝及び突条を介するガイド筒によって案内されるため、その上下動が安定し、ポールが安定して上下動するとともに停止後も安定する。【選択図】図２
0003216756.tif 000002
【実用新案登録請求の範囲】
【請求項１】
床面（Ｆ）と天井面（Ｃ）との間に設けられる縦型介護用ポール装置（Ａ）であって、
上記床面（Ｆ）に固定される床用台座（２１）と、上記天井面（Ｃ）に固定される天井用台座（３１）と、前記両台座（２１、３１）の間に設けられるポール（１）と、前記ポール（１）の下端を床用台座（２１）に固定する床固定具（２０）と、前記ポール（１）の上端を天井用台座（３１）に固定する天井固定具（３０）と、を備え、
上記床固定具（２０）は、上記床用台座（２１）に植設されたボルト（２２）と、そのボルト上端部に固定されて上記ポール（１）の下部内に嵌め込まれる振れ止め用安定コマ（２７）と、上記ボルト（２２）の途中にねじ込まれて上記ポール（１）の下端を支持するジャッキコマ（２４）と、前記ボルト（２２）の途中に設けたそのボルト（２２）が貫通する上下移動可能の回転防止コマ（２５）と、その回転防止コマ（２５）の周りに設けたガイド筒（２６）と、を有し、
上記回転防止コマ（２５）は上記ポール（１）に固定されてその外面とガイド筒（２６）の内面との間に、複数の上下方向に長いガイド溝（２５ａ）及びそのガイド溝（２５ａ）に嵌る突条（２６ａ）を設けた縦型介護用ポール装置。
【請求項２】
上記ガイド筒（２６）は、アルミニウム製の円筒状引き抜き品であって、前記円筒の内面に上下方向の対の弧状突条（２６ａ、２６ａ）が形成されて、その対の弧状突条（２６ａ、２６ａ）は凹側が向き合って円状空間を形成しており、前記対の突条（２６ａ、２６ａ）は、上記ガイド溝（２５ａ）に嵌る突条となるとともに上記床用台座（２１）からのビス（２１ｃ）が前記空間を介してねじ込まれて前記ガイド筒（２６）が床用台座（２１）に固定されている請求項１に記載の縦型介護用ポール装置。
【考案の詳細な説明】
【技術分野】
【０００１】
この考案は、一般家庭や介護施設等において、身障者、高齢者等の要介護者が歩行時等に捕まって安定した姿勢を確保するために用いる縦型介護用ポール装置に関するものである。
【背景技術】
【０００２】
従来、足の弱った人が椅子、ベッドや便器等から立ち上がるのを補助する介護装置として、天井面と床面の間に立設する縦型ポールが知られている。
その縦型ポールは、上下方向のポールと、そのポールの上端に取付けられる天井側アタッチメントと、ポール下端に取付けられる床側アタッチメントとを備えたものであり、その天井側アタッチメントとポール上端との間に弾性支持機構を設け、床側アタッチメントとポール下端との間に突張力調整機構を設けている（特許文献１明細書段落００２０〜００６７、図１等参照）。
【０００３】
この縦型介護用ポール装置の存在する下、出願人は、ポールを安定して天井と床面に固定する考案（特許文献２）とポールの上下動が円滑かつ静かに行われる考案（特許文献３）を提案した。
【先行技術文献】
【特許文献】
【０００４】
【特許文献１】特開２０００−３１４２２０号公報
【特許文献２】実用新案登録第３２１４３５８号公報
【特許文献３】実用新案登録第３２１５２２７号公報
【考案の概要】
【考案が解決しようとする課題】
【０００５】
この考案は、上記両考案において、さらなるポールの安定した上下動等を行い得るようにすることを課題とする。
【課題を解決するための手段】
【０００６】
上記課題を達成するために、この考案は、床面と天井面との間に設けられる縦型介護用ポール装置であって、床面に固定される床用台座と、天井面に固定される天井用台座と、その両台座の間に設けられるポールと、そのポールの下端を床用台座に固定する床固定具と、前記ポールの上端を天井用台座に固定する天井固定具と、を備え、前記床固定具は、床用台座に植設されたボルトと、そのボルト上端部に固定されてポールの下部内に嵌め込まれる振れ止め用安定コマと、ボルトの途中にねじ込まれて前記ポールの下端を支持するジャッキコマと、前記ボルトの途中に設けたそのボルトが貫通する上下移動可能の回転防止コマと、その回転防止コマの周りに設けたガイド筒と、を有し、回転防止コマはポールに固定されてその外面とガイド筒の内面との間に、複数の上下方向に長いガイド溝及びそのガイド溝に嵌る突条を設けた構成としたのである。
この構成であると、複数のガイド溝及び突条を介するガイド筒によって回転防止コマの上下動が案内されるため、その上下動が安定し、ポールが安定して上下動するとともに停止後も安定する（立設状態も安定する）。
【０００７】
この構成において、上記ガイド筒は、アルミニウム製の円筒状引き抜き品であって、前記円筒の内面に上下方向の対の弧状突条が形成されて、その対の弧状突条は凹側が向き合って円状空間を形成しており、前記対の突条が上記ガイド溝に嵌る突条となるとともに、床用台座からのビスが前記空間を介してねじ込まれて前記ガイド筒が床用台座に固定されている構成を採用し得る。
この構成のガイド筒であると、汎用品を使用し得て安価なものとなる。
【０００８】
この考案は、以上のように構成して、ガイド筒で回転防止コマをガイドしてポールの上下動を安定させたので、安定した介護用ポール装置となる。
【図面の簡単な説明】
【０００９】
【図１】この考案に係る縦型介護用ポール装置の一実施形態の概略正面図
【図２】同実施形態の床固定部分の切断正面図
【図３】図２のＩＩＩ−ＩＩＩ線断面図
【図４】図２のＩＶ−ＩＶ線断面図
【図５】同実施形態の床固定部分のカバーを持ち上げた状態の斜視図
【図６】同実施形態の床固定部分のガイド筒を持ち上げた状態の斜視図
【図７】同実施形態の天井固定部分の切断正面図
【図８】図７の天井固定具の一部切断下面図
【考案を実施するための形態】
【００１０】
この考案に係る縦型介護用ポール装置の一実施形態を図１〜図８に示し、この縦型介護用ポール装置Ａも、従来と同様に、床面Ｆと天井面Ｃの間に垂直（上下）に介設する。
その上下方向のポール１の下端に床面Ｆに固定する床用台座２１、上端に天井面Ｃに固定する天井用台座３１がそれぞれ設けられている。
【００１１】
ポール１は、鋼管パイプ等の中空管からなって上下の部材１ａ、１ｂに分かれている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（連結金具）１０によって適宜な伸縮長さ（出没長さ）で固定される。
【００１２】
その接続締結金具１０は、特許文献３段落００１６〜同００１７、同図３に示すように、円筒状半割リング１１、１１の対からなり、その各リング１１の両側にはそれぞれフランジ１２、１２、１２、１２が設けられている。対向するフランジ１２には同一軸上の孔１３が形成されて、その一方がタッピングねじ孔となっている。半割リング１１は軸方向中程で肉薄となって段差１４が形成されている。
このため、この対の円筒状となった半割リング１１、１１に他方（下側）のポール部材１ｂを嵌めると、その段差１４にポール部材１ｂの上端が係止して、その上端に接続締結金具１０が取付けられる。接続締結金具１０は、対向するフランジ１２の一方の孔１３にボルト１５を差し込んで同他方の孔１３にねじ込むことによって両リング１１、１１が締まって（縮径して）接続締結機能を発揮する（この段落の符号は特許文献３と同じ）。
【００１３】
ポール１の長さ（両台座２１、３１の間隔）は、床面Ｆと天井面Ｃとの間隔より少し短い程度になるように、両ポール部材１ａ、１ｂをその軸方向に嵌め込んで接続締結金具１０で一体とする。この締結は、他方のポール部材１ｂに一方のポール部材１ａを嵌め込んで所要の長さにした後、その嵌め込み部に接続締結金具１０を嵌めて行ったり、他方のポール部材１ｂの上端にこの接続締結金具１０を落ちない程度に嵌め込み、その状態で、一方のポール部材１ａを他方のポール部材１ｂに嵌め込んで所要の長さにした後、その嵌め込み状態で接続締結金具１０のボルトをねじ込んで行ったりする。
【００１４】
床固定具２０の台座２１は、図２〜図６に示すように、鋼板製ベース板から成り、そのベース板の中心には全長に亘ってねじが形成されたボルト２２が立設（植設）されている。このボルト２２は、その下端２２ａを研削して縮径し、その縮径端部２２ａを台座２１の孔２１ａに嵌めて溶接することによって強固に立設されている。
ボルト２２には、ロックナット２３、ジャッキコマ２４、回転防止コマ２５、上昇防止用ナット２３ａ及び固定ナット２３ｂが設けられている。ロックナット２３、ジャッキコマ２４、上昇防止用ナット２３ａ及び固定ナット２３ｂはボルト２２にねじ通されている。
ベース板（床用台座）２１は床面Ｆにビス２１ｂにより固定され、その裏面（下面）には滑り止めシート（板）を貼着することができる。回転防止コマ２５の周りにはガイド筒２６が設けられている。
上記ロックナット２３はジャッキコマ２４下面に圧接されてその弛みを防止する。上昇防止用ナット２３ａ及び固定ナット２３ｂは相互に締め付けられてボルト２２の所要位置に固定されて回転防止コマ２５（ジャッキコマ２４）が必要以上に上昇するのを阻止して、天井が損傷されるのを防止する。
【００１５】
回転防止コマ２５は、ＭＣナイロン（６ナイロンと呼ばれるポリアミド樹脂）等の樹脂製であって、ボルト２２に上下動自在に嵌め込まれている。回転防止コマ２５の上面は円状凹部に形成されてこの凹部にポール部材１ｂの下端が嵌っている。回転防止コマ２５の外周等分位置（この実施形態では周囲８等分位置）に上下方向全長に亘るガイド溝２５ａが形成されている。
ガイド筒２６は、アルミニウム製の円筒状引き抜き品であって、円筒の内面に上下方向の対の弧状突条２６ａ、２６ａが形成されて、その対の弧状突条２６ａは凹側が向き合って円状空間を形成しており、その対の突条２６ａが上記溝２５ａに嵌る突条となるとともに、床用台座２１からのビス２１ｃが前記空間を介してねじ込まれてガイド筒２６が床用台座２１に固定されている。
【００１６】
この構成によって、ジャッキコマ２４がボルト２２に対して回転することによって昇降し、それに伴って回転防止コマ２５が昇降する。このため、回転防止コマ２５の上面に他方のポール部材１ｂの下端が当接して（嵌って）いることによって、ポール部材１ｂ（ポール１）も昇降する。ジャッキコマ２４の回転は外周面の孔２４ａに棒材を嵌める等によって行う。
【００１７】
回転防止コマ２５には埋め込みビス（イモネジ）２５ｄが周囲等間隔に設けられており（図３参照）、このビス２５ｄをねじ穴にねじ込んで、そのビス２５ｄの尖った先端をポール部材１ｂに圧接することによってポール部材１ｂと回転防止コマ２５が一体になる。この一体化によって、回転防止コマ２５はガイド筒２６を介して台座２１に固定のため、ポール部材１ｂ（ポール１）の回転が阻止される。ビス２５ｄの数は任意である。
【００１８】
ボルト２２の頂部にはＡＢＳ樹脂（アクリロニトリル、ブタジエン、スチレン共重合合成樹脂）製振れ止め用安定コマ２７がねじ込まれている。安定コマ２７は他方のポール部材１ｂ内に移動可能にぴったり嵌り込む（ポール部材１ｂ内径と安定コマ２７の外径はほぼ同一となっている。）。
【００１９】
このボルト２２、ジャッキコマ２４等によって突張力調整機構が構成され、この突張力調整機構（床固定具）２０に円錐台筒状のＡＳＡ樹脂（アクリロニトリル・スチレン・アクリルゴム）製カバー２８が被せられる。このカバー２８は他方のポール部材１ｂに嵌めてその軸方向に移動自在である。
以上のボルト２２と、安定コマ２７と、ジャッキコマ２４と、回転防止コマ２５と、ガイド筒２６とから床固定具２０は成る。
【００２０】
天井固定具３０の台座３１は、図７、図８に示すように、木板又は鋼板製の四角形板からなる。この台座３１の上面（天井面Ｃに接する面）にも上記床用台座２１と同様の滑り止めシート（板）を貼着することができる。
台座３１の下面中央にポール１（１ａ）の円形止め金具３２がビス止めされている。この止め金具３２はポール１ａの上端に溶接によって固定されている。
【００２１】
この実施形態の縦型介護用ポール装置Ａは以上の構成であり、その作用についてつぎに説明する。
今、病室や寝室、居間等におけるベッド近くやトイレ内の便器近くなどの床面Ｆと天井面Ｃの間にこの介護用ポール装置Ａを設置する場合、図１に示すように、上下の台座２１、３１の間隔（ポール１の自然長）が床面Ｆと天井面Ｃの間隔より少し短い長さとして、この縦型介護用ポール装置Ａを床面Ｆと天井面Ｃの間に位置させる。
【００２２】
その状態で、図５、図６に示すように、カバー２８を上方にずらし、ジャッキコマ２４を回して回転防止コマ２５を上昇させ、他方（下側）のポール部材１ｂ（ポール１）を上方に持ち上げる。このポール１の上昇につれ台座３１が天井面Ｃに強固に押し付けられてポール１が不動となる。このジャッキコマ２４の回転はガイド筒２６の開口２６ｂから棒材を孔２４ａに差し込んで行う。
【００２３】
なお、必要であれば、固定ナット２３ｂの上側にさらにナットを設け、そのナットを安定コマ２７の下面に圧接してボルト２２と安定コマ２７の一体化を高めることもできる。また、天井用台座３１も天井面Ｃにビス止めすることができる。
このようにして設置された縦型介護用ポール装置Ａは、従来と同様にして使用する。
【００２４】
上記実施形態においては、天井面Ｃに台座３１をビス止めしたが、特許文献２明細書段落００２４〜同００２６、図７や特許文献３明細書段落００２４〜同００２９、図７、図８Ａ〜図８Ｄに記載の「弾性支持機構」によって、ポール１の上端を天井面Ｃに支持するようにすることもできる。このとき、その弾性支持機構及び上記突張力調整機構によってポール１を床面Ｆ及び天井面Ｃに強固に固定できれば、床用台座２１、天井用台座３１の床面Ｆ及び天井面Ｃへのビス止めは省略することができる。
なお、上記突張力調整機構によってポール１を床面Ｆ及び天井面Ｃに強固に固定できれば、上記実施形態においても、床用台座２１及び天井用台座３１の床面Ｆ及び天井面Ｃへのビス止めは省略することができる。
【００２５】
上記実施形態においては、回転防止コマ２５にガイド溝２５ａ、ガイド筒２６に突条２６ａを設けたが、回転防止コマ２５に突条、ガイド筒２６にガイド溝を設けることもできる。突条及びガイド溝の長さは、ガイド筒２６に対する回転防止コマ２５の移動において両者の嵌合が維持される範囲において任意である。例えば、ガイド筒２６にガイド溝を設けた場合、回転防止コマ２５の突条はそのガイド溝の長さ方向に延びない（長さを有しない）突起としても良い。
なお、各部材（ポール１、台座２１、３１、カバー２８等）に塗装を行う場合は、その塗装表面にパーカー処理を施すことは言うまでもない。また、その各部材はその機能を発揮する限りにおいて上記の材料に限定されないことは言うまでもない。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２６】
Ａ  縦型介護用ポール装置
１  ポール
１ａ  一方（上側）のポール部材
１ｂ  他方（下側）のポール部材
１０  ポール部材の接続締結金具
２０  床固定具
２１  床用台座
２２  ポール長さ調整用ボルト
２３  ロックナット
２３ａ  上昇防止用ナット
２３ｂ  固定ナット
２４  ジャッキコマ
２５  回転防止コマ
２５ａ  ガイド溝
２６  ガイド筒
２６ａ  突条
２７  振れ止め用安定コマ
２８  カバー
３０  天井固定具
３１  天井用台座
【図１】
0003216756.tif 000003
【図２】
0003216756.tif 000004
【図３】
0003216756.tif 000005
【図４】
0003216756.tif 000006
【図５】
0003216756.tif 000007
【図６】
0003216756.tif 000008
【図７】
0003216756.tif 000009
【図８】
0003216756.tif 000010